(57)【要約】      （修正有）【課題】トレーニングするユーザに効果的な助言や励ましを行うことを可能にする。【解決手段】リスト端末２−１の表示部４０に、コメントデータＣＤを表示する。このコメントデータＣＤは、コメントＣ１、プロフィール画像Ｐ１、及び見出しコメントＣ２で構成されている。コメントＣ１は、リスト端末２−１を所持している会員の友人から当該会員に送信された文字列からなる文言であり、プロフィール画像Ｐ１は前記友人の顔画像である。また、見出しコメントＣ２は、サーバーが選択して送信した文字列からなる短文の文言である。【選択図】図４
2014044623.tif 000002
【特許請求の範囲】
【請求項１】
ネットワークを介して接続される会員端末とサーバーとを有するネットワーク・サービスシステムであって、
前記会員端末は、
当該会員のトレーニングの状況を示すトレーニングデータをネットワーク上に公開させる公開手段と、
前記当該会員のトレーニングデータが示すトレーニングの状況に対する他の会員のコメントを示すコメントデータを前記サーバーにアップロードするアップロード手段とを備え、
前記サーバーは、
前記アップロードされた他の会員のコメントデータを、前記当該会員の端末に送信するコメントデータ送信手段を備え、
前記会員端末は、前記コメントデータ送信手段により前記サーバーから送信されたコメントデータを受信しプッシュ式でコメントを提供するコメント提供手段を備えることを特徴とするネットワーク・サービスシステム。
【請求項２】
複数の会員端末の各アップロード手段から前記他の会員のコメントデータが各々アップロードされ、
前記サーバーは、前記アップロードされた複数の他の会員のコメントデータのいずれかを選択する選択手段を備え、
前記コメントデータ送信手段は、前記選択手段により選択されたコメントデータを前記当該会員の端末に送信することを特徴とする請求項１記載のネットワーク・サービスシステム。
【請求項３】
前記サーバーは、トレーニングを行っているシーンを判定するシーン判定手段を備えることを特徴とする請求項２記載のネットワーク・サービスシステム。
【請求項４】
前記選択手段は、前記シーン判定手段により判定されたシーンに応じて、前記アップロードされた複数の他の会員のコメントデータのいずれかを選択することを特徴とする請求項３記載のネットワーク・サービスシステム。
【請求項５】
前記サーバーは、
前記シーン毎に異なるコメントを示す既成のシーン別コメントデータを予め記憶した記憶手段を備え、
前記選択手段は、前記シーン判定手段により判定されたシーンに応じて、前記記憶手段からシーン別コメントデータを更に選択し、
前記コメントデータ送信手段は、前記選択手段により選択された前記会員が任意に入力したコメントデータと予め記憶されていた既成のシーン別コメントデータとを前記当該会員の端末に送信することを特徴とする請求項３記載のネットワーク・サービスシステム。
【請求項６】
前記シーン判定手段は、前記トレーニングデータに基づき、トレーニングを行っているシーンを判定することを特徴とする請求項３記載のネットワーク・サービスシステム。
【請求項７】
前記会員端末は、トレーニングの内容を示すトレーニングメニューを設定する設定手段を備え、
前記シーン判定手段は、前記トレーニングメニューと前記トレーニングデータとに基づき、トレーニングを行っているシーン判定することを特徴とする請求項４記載のネットワーク・サービスシステム。
【請求項８】
前記トレーニングメニューには、前記会員がトレーニングに用いるコースを示すコースデータが含まれることを特徴とする請求項７記載のネットワーク・サービスシステム。
【請求項９】
前記シーン判定手段は、前記他の会員のコメントデータが示すコメントからキーワードを抽出し、抽出したキーワードに基づきトレーニングを行っているシーンを判定することを特徴とする請求項３記載のネットワーク・サービスシステム。
【請求項１０】
前記他の会員のコメントデータが示すコメントからキーワードを抽出し、抽出したキーワードに基づき前記コメントデータを、トレーニングを行っているシーンに応じて分類する手段を備えることを特徴とする請求項３記載のネットワーク・サービスシステム。
【請求項１１】
前記コメントデータ送信手段は、前記選択手段により選択されたコメントデータとともに、当該コメントデータをアップロードした他の会員のプロフィール画像を送信し、
前記コメント提供手段は、前記コメントデータとともに前記プロフィール画像を受信して表示させることを特徴とする請求項２記載のネットワーク・サービスシステム。
【請求項１２】
前記会員端末は、当該会員が腕に装着可能なリスト端末であることを特徴とする請求項１乃至１１記載のネットワーク・サービスシステム。
【請求項１３】
前記会員端末は、当該会員が携帯してトレーニング可能な携帯端末であることを特徴とする請求項１乃至１１記載のネットワーク・サービスシステム。
【請求項１４】
前記会員端末は、当該会員が腕に装着可能なリスト端末と、携帯してトレーニング可能な携帯端末とを含むことを特徴とする請求項１乃至１１記載のネットワーク・サービスシステム。
【請求項１５】
ネットワークを介して接続される会員端末とサーバーとを有し、前記会員端末からアップロードされた他の会員のコメントを示すコメントデータを、前記サーバーから当該会員の端末に送信するネットワーク・サービスシステムに用いられる端末であって、
当該会員のトレーニングの状況を示すトレーニングデータをネットワーク上に公開させる公開手段と、
前記サーバーから送信されたコメントデータを受信してプッシュ式でコメントを提供するコメント提供手段と
を備えることを特徴とする端末。
【請求項１６】
ネットワークを介して接続される会員端末とサーバーとを有し、前記端末は当該会員のトレーニングの状況を示すトレーニングデータをネットワーク上に公開する公開手段と、前記当該会員のトレーニングデータが示すトレーニングの状況に対する他の会員のコメントを示すコメントデータを前記サーバーにアップロードするアップロード手段と、前記サーバーから送信されたコメントデータを受信してプッシュ式でコメントを提供するコメント提供手段とを備えるネットワーク・サービスシステムに用いられるサーバーであって、
前記アップロードされた他の会員のコメントデータを、前記当該会員の端末に選択的に送信するコメントデータ送信手段を備えることを特徴とするサーバー。
【請求項１７】
ネットワークを介して接続される会員端末とサーバーとを有し、前記会員端末からアップロードされた他の会員のコメントを示すコメントデータを、前記サーバーから当該会員の端末に送信するネットワーク・サービスシステムに用いられる端末が有するコンピュータを、
当該会員のトレーニングの状況を示すトレーニングデータをネットワーク上に公開させる公開手段と、
前記サーバーから送信されたコメントデータを受信してプッシュ式でコメントを提供するコメント提供手段と
して機能させることを特徴とする前記コンピュータが読み取り可能なプログラム。
【請求項１８】
ネットワークを介して接続される会員端末とサーバーとを有し、前記端末は当該会員のトレーニングの状況を示すトレーニングデータをネットワーク上に公開する公開手段と、前記当該会員のトレーニングデータが示すトレーニングの状況に対する他の会員のコメントを示すコメントデータを前記サーバーにアップロードするアップロード手段と、
前記サーバーから送信されたコメントデータを受信してプッシュ式でコメントを提供するコメント提供手段とを備えるネットワーク・サービスシステムに用いられるコンピュータを、
前記アップロードされた他の会員のコメントデータを、前記当該会員の端末に選択的に送信するコメントデータ送信手段として機能させることを特徴とする前記コンピュータが読み取り可能なプログラム。
【請求項１９】
ネットワークを介して接続される会員端末とサーバーとを有するネットワーク・サービスシステムにおけるコメント提供方法であって、
前記会員端末は、
当該会員のトレーニングの状況を示すトレーニングデータをネットワーク上に公開させ、
前記当該会員のトレーニングデータが示すトレーニングの状況に対する他の会員のコメントを示すコメントデータを前記サーバーにアップロードし、
前記サーバーは、
前記アップロードされた他の会員のコメントデータを、前記当該会員の端末に送信し、  前記会員端末は、前記サーバーから送信されたコメントデータを受信してプッシュ式でコメントを提供することを特徴とするコメント提供方法。
【発明の詳細な説明】
【技術分野】
【０００１】
本発明は、ジョギング、ウォーキング、ランニング等のトレーニングを行うトレーニング・ソーシャル・ネットワーク・サービス（以下、ＳＮＳと略称する）に好適なネットワーク・サービスシステム、端末、サーバー、プログラム並びにネットワーク・サービスシステムおけるコメント提供方法に関する。
【背景技術】
【０００２】
従来、ジョギング、ウォーキング、ランニング等のトレーニングを行う際の支援システムとして、特許文献１及び特許文献２に開示された技術が知られている。
【０００３】
特許文献１には、ユーザが身体に装着可能な無線センサー装置と、この無線センサー装置と通信可能でユーザの腕に装着可能な腕時計端末と、この腕時計端末と通信可能でインターネットを経由してサーバーに接続する携帯電話端末を有し、サーバーにはトレーニング支援プログラムが用意されており、無線センサー装置から運動データをサーバーに送るとともに、サーバーから運動支援情報を受信して腕時計端末に表示する技術が記載されている。
【０００４】
特許文献２には、ウォーキングやジョギングなどを行っている利用者に対し、現在行っているウォーキングなどを継続して行うための動機付けとなる有用情報を提供する携帯端末装置が記載されている。すなわち、「歩くリズムが一定です。非常に良い！」、「歩くリズムがバラバラです。落ち着いて！」「歩くペースが落ちてきました。気合いだ！」、「スタート時より歩くペースが落ちていません。その調子！」、「歩くペースが上がってきました。スゴイ！」などの有用情報を提供するものである。
【先行技術文献】
【特許文献】
【０００５】
【特許文献１】特開２００３−１７５１３９号公報
【特許文献２】特開２００９−２１３６５４号公報
【発明の概要】
【発明が解決しようとする課題】
【０００６】
しかしながら、特許文献１及び特許文献２に記載の技術は、いずれもサーバーあるいは携帯端末装置に予め記憶させてある既成の文言を表示することにより、トレーニングするユーザに対してアドバイスを行うものである。したがって、友人からユーザに効果的な助言や励ましを行うことができない。
【０００７】
本発明は上記事情に鑑みてなされたもので、トレーニングするユーザに効果的な助言や励ましを行うことを可能にする技術を提供すること目的とする。
【課題を解決するための手段】
【０００８】
前記課題を解決するため本発明は、ネットワークを介して接続される会員端末とサーバーとを有するネットワーク・サービスシステムであって、前記会員端末は、当該会員のトレーニングの状況を示すトレーニングデータをネットワーク上に公開させる公開手段と、前記当該会員のトレーニングデータが示すトレーニングの状況に対する他の会員のコメントを示すコメントデータを前記サーバーにアップロードするアップロード手段とを備え、前記サーバーは、前記アップロードされた他の会員のコメントデータを、前記当該会員の端末に送信するコメントデータ送信手段を備え、前記会員端末は、前記コメントデータ送信手段により前記サーバーから送信されたコメントデータを受信しプッシュ式でコメントを提供するコメント提供手段を備えることを特徴とするネットワーク・サービスシステムを提供する。
【０００９】
また、本発明は、ネットワークを介して接続される会員端末とサーバーとを有し、前記会員端末からアップロードされた他の会員のコメントを示すコメントデータを、前記サーバーから当該会員の端末に送信するネットワーク・サービスシステムに用いられる端末であって、当該会員のトレーニングの状況を示すトレーニングデータをネットワーク上に公開させる公開手段と、前記サーバーから送信されたコメントデータを受信してプッシュ式でコメントを提供するコメント提供手段とを備えることを特徴とする端末を提供する。
【００１０】
また、本発明は、ネットワークを介して接続される会員端末とサーバーとを有し、前記端末は当該会員のトレーニングの状況を示すトレーニングデータをネットワーク上に公開する公開手段と、前記当該会員のトレーニングデータが示すトレーニングの状況に対する他の会員のコメントを示すコメントデータを前記サーバーにアップロードするアップロード手段と、前記サーバーから送信されたコメントデータを受信してプッシュ式でコメントを提供するコメント提供手段とを備えるネットワーク・サービスシステムに用いられるサーバーであって、前記アップロードされた他の会員のコメントデータを、前記当該会員の端末に選択的に送信するコメントデータ送信手段を備えることを特徴とするサーバーを提供する。
【００１１】
また、本発明は、ネットワークを介して接続される会員端末とサーバーとを有し、前記会員端末からアップロードされた他の会員のコメントを示すコメントデータを、前記サーバーから当該会員の端末に送信するネットワーク・サービスシステムに用いられる端末が有するコンピュータを、当該会員のトレーニングの状況を示すトレーニングデータをネットワーク上に公開させる公開手段と、前記サーバーから送信されたコメントデータを受信してプッシュ式でコメントを提供するコメント提供手段として機能させることを特徴とする前記コンピュータが読み取り可能なプログラムを提供する。
【００１２】
また、本発明は、ネットワークを介して接続される会員端末とサーバーとを有し、前記端末は当該会員のトレーニングの状況を示すトレーニングデータをネットワーク上に公開する公開手段と、前記当該会員のトレーニングデータが示すトレーニングの状況に対する他の会員のコメントを示すコメントデータを前記サーバーにアップロードするアップロード手段と、前記サーバーから送信されたコメントデータを受信してプッシュ式でコメントを提供するコメント提供手段とを備えるネットワーク・サービスシステムに用いられるコンピュータを、前記アップロードされた他の会員のコメントデータを、前記当該会員の端末に選択的に送信するコメントデータ送信手段として機能させることを特徴とする前記コンピュータが読み取り可能なプログラムを提供する。
【００１３】
また、本発明は、ネットワークを介して接続される会員端末とサーバーとを有するネットワーク・サービスシステムにおけるコメント提供方法であって、前記会員端末は、当該会員のトレーニングの状況を示すトレーニングデータをネットワーク上に公開させ、前記当該会員のトレーニングデータが示すトレーニングの状況に対する他の会員のコメントを示すコメントデータを前記サーバーにアップロードし、前記サーバーは、前記アップロードされた他の会員のコメントデータを、前記当該会員の端末に送信し、前記会員端末は、前記サーバーから送信されたコメントデータを受信してプッシュ式でコメントを提供することを特徴とするコメント提供方法を提供する。
【発明の効果】
【００１４】
本発明によれば、会員が端末を保持してトレーニング中に、ネットワークを経由して当該端末に他の会員のコメントを提供することができるので、多様性がありかつ親密性のあるメッセージを付与することができ、よって、トレーニングするユーザに効果的な助言や励ましを行うことができる。
【図面の簡単な説明】
【００１５】
【図１】本発明の一実施の形態に係るトレーニングＳＮＳの全体構成を示すブロック図である。
【図２】同実施の形態に係るトレーニングＳＮＳのイメージを説明する図である。
【図３】同実施の形態のＳＮＳの利用イメージを説明するための図である。
【図４】リスト端末の表示例を説明するための図である。
【図５】コースデータをユーザが登録する例を説明する図である。
【図６】ランドマークを基準にランニングコースを自動的に設定する例を示す図である。
【図７】ランドマーク中心に任意のエリアを囲って、距離を指定する状態を示す図である。
【図８】実際に道のあるコースでその距離になるようにコース設定する例を示す図である。
【図９】サーバーの概略構成を示すブロック図である。
【図１０】コメントテーブルの具体例を示す図である。
【図１１】リスト端末の構成を示す概略ブロック図である
【図１２】トレーニング中に当該会員が腕に装着しているリスト端末、サーバー、及び会員の友人の端末である会員端末の処理手順を示すフローチャートである。
【図１３】コメントデータ作成処理の処理手順を示すフローチャートである。
【発明を実施するための形態】
【００１６】
以下、本発明の実施の形態について図面を参照して説明する。
図１は、本実施の形態に係るトレーニングＳＮＳの全体構成を示すブロック図である。
サーバー１１を含むＳＮＳサイト１０は、インターネット５００を介して会員のスマホ端末１−１、１−２、１−３、・・・、リスト端末２−１、２−２、２−３・・・及びＰＣ（Personal Computer）３−１と接続される。また、リスト端末２−１、２−２、２−３、・・・は手首に装着可能な腕時計型のリスト端末であり、スマホ端末１−１、１−２、１−３と無線でも接続可能である。スマホ端末１−１、・・・は、アプリケーションプログラムをインストールして、ＳＮＳサイト１０との連携を図る動作をする。また、リスト端末２−１、・・・にも比較的軽いアプリケーションプログラムをインストールして、スマホ端末１−１、・・・との連携を図るように動作する。また、リスト端末２−１、・・・とサーバー１１を直接接続して、スマホ端末１−１、・・・を経由しなくても情報交換ができるルートも用意されている。
【００１７】
図２は、本実施の形態に係るトレーニングＳＮＳのイメージを説明する図である。トレーニングＳＮＳサイト１０を介して、トレーニングする会員が装着するリスト端末２−１、２−２、メッセージを書き込めるスマホ端末１−１、ＰＣ３が接続される。これにより、スマホ端末１−１、ＰＣ３で他の会員が書き込んだ、リスト端末２−１を装着してトレーニングしている会員、あるいはリスト端末２−２を装着しているトレーニングしている他の会員に、当該会員に合ったメッセージを送ることができる。なお、ＳＮＳサイト１０としてクラウドサービスを用いることができる。
【００１８】
図３は、本実施の形態のＳＮＳの利用イメージを説明するための図である。リスト端末２−１を装着してトレーニングしている状況（トレーニングデータ）を友人の会員スマホ端末１−１で見ることができ、応援やアドバイスのコメントを入力するとトレーニングしている会員のリスト端末２−１にＡ、Ｂ、Ｃとして示したように、「パパがんばれ！」等のコメントデータが表示される。
【００１９】
図４は、リスト端末２−１の表示例を説明するための図である。リスト端末の表示部４０に、コメントデータＣＤが表示される。このコメントデータＣＤは、コメントＣ１、プロフィール画像Ｐ１、及び見出しコメントＣ２で構成されている。コメントＣ１は、リスト端末２−１を所持している会員の友人から当該会員に送信された文字列であり、プロフィール画像Ｐ１は前記友人の登録してある顔画像等のプロフィール画像である。また、見出しコメントＣ２は、後述するようにしてサーバー１１が選択して送信した文字列である。
【００２０】
図５は、コースデータをユーザが登録する例を説明している。登録に際しては、ＰＣ３の表示部３０１に地図３０２を表示された状態で、例えば、マウスの操作に応じてポインタを移動させるとともに、ポインタの移動軌跡上にコースを描画することにより、表示されている地図３０２上にユーザが所望する仮想コースを書き込ませる。しかし、この仮想コースはユーザがマニュアル操作により描画したものであるから、必ずしも地図上の道路とは一致していない。そこで、次に道路マッチング処理を行って、仮想コースをこれに最も近い位置に存在するランニング可能な道路を地図から順次抽出し、この抽出した道路を順次結合してコース３０３を生成する。しかる後に、このコース３０３を示すデータをＳＮＳサイト１０に送信して、当該会員の設定コースとして登録する。このコース３０３を示すデータとしては、図示のようにスタート地点、１、２、３ｋｍ等のスタート地点から各距離の地点を示すデータが含まれる。
【００２１】
図６は、ランドマークを基準にランニングコースを自動的に設定する例を示している。登録に際しては、ＰＣ３の表示部３０１に地図３０２を表示された状態で、スタート地点を指定した後、ゴール地点として所望のランドマークを指定する。これにより、スタート地点からゴール地点までの、ランニング可能な道路からなるコース３０３が生成される。しかる後に、このコース３０３を示すデータをＳＮＳサイト１０に送信して、当該会員の設定コースとして登録する。このコース３０３を示すデータとしては、図示のようにスタート地点、１、２、３ｋｍ等のスタート地点から各距離の地点を示すデータが含まれる。
【００２２】
図７、８は、ランドマーク中心に任意のエリアを囲って、距離を指定すると、実際に道のあるコースでその距離になるようにコース設定してくれる例を示す。先ず、図７に示すように、ＰＣ３の表示部３０１に地図３０２を表示された状態で、ランドマークとして例えば「東京スカイツリー」を指定した後、これを囲むように任意の線３０４を描き、この任意の線３０４で囲まれる領域を指定する。引き続き、コースの全長を示す距離、５ｋｍ、１０ｋｍ等のデータを入力する。すると、これらのデータに基づき、ＰＣ３は、図８に示すように、「東京スカイツリー」を中心としたコースであって、入力された全長でありランニング可能な道路からなるコース３０３が生成する。しかる後に、このコース３０３を示すデータをＳＮＳサイト１０に送信して、当該会員の設定コースとして登録する。
【００２３】
図９は、サーバー１１の概略構成を示すブロック図である。
図において、１０２はＣＰＵであり、システム全体を制御する。１０４はプログラムメモリであり、各種制御プログラムが記憶されている。ＣＰＵ１０２はプログラムメモリ１０４のプログラムを実行することにより各種処理を行う。１０４１はコース設定プログラムであり、後述するコースを設定するためのプログラムである。コースは、ユーザ自身がリスト端末２−１を腕に装着して実際に走ったコースをトレースして設定してもよいし、地図上をなぞってコース設定してもよいし、ランドマークを指定してそのランドマークを経由する、あるいは周回する５キロコース、１０キロコースなどの設定を視点もよい。実際の地図と、指定したコースの誤差は公知のマップマッチング技術で修正できる。
【００２４】
１０４２は後述するコメントデータ作成プログラムである。友人の会員端末から、トレーニングをしているユーザ会員に対して応援メッセージを送ったとき、ユーザのリスト端末にそのまま表示させてもよいが、サーバーで表示をリスト端末の比較的小面積の表示部４０に表示させるように加工する。コメントからキーワードを抽出してキーワードを表示するようにしてもよい。表示タイミングも制御する。
【００２５】
１０４３は、シーン判定プログラムである。シーンとは、今現在、ユーザがトレーニングのどういう状況にあるかを示すもので、シーン判定プログラム１０４３に基づきＣＰＵ１０２が、トレーニングメニューメモリ１０８に記憶されているトレーニングメニューの内容と、リスト端末２−１から送られてくるトレーニングデータを記憶するトレーニングデータメモリ１１０の内容を対比して、シーンを判定する。
【００２６】
１０６は会員管理部であり、ＳＮＳシステムとして会員を管理する。図１１には示してある各種データは、基本的には会員毎に用意されるものである。友人関係もここで管理している。また、プロフィール画像Ｐ１も会員毎に記憶されて管理されている。
【００２７】
１０８は、トレーニングメニューメモリであり、複数のトレーニングメニューが記憶されている。トレーニングメニューとは、どういうコースを、あるいは何キロを、どのくらいの時間で走るのか、メニューが用意してある。ユーザは、自分に合ったトレーニングメニューを選択してもよいし、自分でメニューを作成することもできる。
【００２８】
１１０はトレーニングデータメモリである。トレーニングデータとは、リスト端末２−１のＧＰＳ部２５０、センサー２５２で計測してサーバーに送るデータ、及び計測した値に基づき算出したデータであり、歩行時間、歩数、走行距離、脈拍、ＧＰＳ部２５０で取得した今走っている現在位置、設定コースとのずれ、目的地までの想定距離、想定時間、・・・などのことを指す。つまり、トレーニングデータとは、リスト端末２-１を装着しているユーザのトレーニングしている状況を直接的あるいは間接的に示す情報であれば、如何なる情報であってもよい。
【００２９】
１１４はコメントバッファで、友人会員の会員端末から送られてくるコメントをそのまま記憶する。つまり、複数の会員端末２−２、２−３、２−４、２−５、・・・から送られてくるコメントを逐次、バッファ１１４１、１１４２、１１４３、１１４４、・・・に記憶していく。
【００３０】
コメントテーブル１１８は、友人の会員端末２−２，２−３、２−４、・・・から送られてくるコメントを、ユーザが装着しているリスト端末２−１のトレーニングのシーンに応じて選択し、コメントデータとしてコメントデータメモリ１１６に保持してからユーザのリスト端末２−１へ表示させるための表（Ｔ）を記憶しているものである。
【００３１】
１２０は、ユーザが複数回のトレーニングを行って、その結果を後で比較できるように、トレーニングの履歴を保存しておく履歴メモリである。
１３０は各種コースが設定されているコースメモリである。予め既存のコースが複数用意されている。例えば東京マラソンコース、ホノルルマラソンコース、皇居前ジョギングコース、などであり、これらが設定コースＡ、Ｂ、Ｃ、・・・の１３０Ａ、１３０Ｂ、１３０Ｃ、・・・である。また、ユーザが自分で設定し登録したコースは設定コース１、２、３、・・・の１３０１、１３０２、１３０３、・・・である。
【００３２】
図１０は、表（Ｔ）の具体例を示す図である。この表（Ｔ）は、コメント種別（Ｔ１）毎に、コメント（Ｔ１）、キーワード（Ｔ３）、表示シーン→見出しコメント（Ｔ４）の各欄に区分されている。コメント種別（Ｔ１）としては、褒める／良い評価（Ｔ１Ａ）、注意／心配（Ｔ１Ｂ）、応援／声かけ（Ｔ１Ｃ）に区分されている。コメント（Ｔ１）には、（Ｔ１Ａ）〜（Ｔ１Ｃ）のいずれかに分類されたＳＮＳ上の友人からのコメントが記憶されている。キーワード（Ｔ３）には、コメント（Ｔ１）に記憶したコメントから抽出したキーワードが対応して記憶される。
【００３３】
なお、ＳＮＳ上の友人からのコメントを（Ｔ１Ａ）〜（Ｔ１Ｃ）のいずれかに分類する際には、抽出したキーワード（Ｔ３）と（Ｔ１Ａ）〜（Ｔ１Ｃ）に対応して予め記憶してある分類キーワードとを比較して、両者が一致した場合には、当該コメントを（Ｔ１Ａ）〜（Ｔ１Ｃ）に分類する。
【００３４】
表示シーン→見出しコメント（Ｔ４）には、「安定してタイムを刻んでいるシーン」に対応して、見出しコメント「その調子で！」が記憶される等、判定したシーンに適切なサーバー１１からのコメントが記憶されている。ここで、シーンとは、今現在、ユーザがトレーニングのどういう状況にあるかを示すもので、シーン判定プログラム１０４３がトレーニングメニューメモリ１０８に記憶されているトレーニングメニューの内容と、リスト端末２−１から送られてくるトレーニングデータを記憶するトレーニングデータメモリ１１０の内容を対比して、シーンを判定する。例えば、トレーニングメニューが１０キロの設定コースＡ（１３０Ａ）、目標時間２時間、であるとする。コースデータメモリ１３０の設定コースＡ記憶エリアには、コースの距離、位置、地形、勾配等が記憶されている。この設定したコースはＳＮＳで友人に公開される。
【００３５】
なお、表（Ｔ）には、友人のコメント（Ｔ２）の欄に記載した例「練習が不規則になっているから準備運動には十分注意して」のように、トレーニングを開始する前のコメントも記憶され、また「新記録達成だよ！」のように、トレーニングを終了した後のコメントも記憶される。
【００３６】
図１１は、リスト端末２−１の構成を示す概略ブロック図である。４０は、表示部でありＬＣＤとこれを駆動する駆動回路等から構成されている。２５４は、表示部４０の表示状態を制御する表示制御部である。２５６は、入力部であり、各種キーやスイッチを有して構成される。２３０は、各種コースが設定されているコースメモリである。予め既存のコースが複数用意されている。前記サーバー１１のコースメモリ１３０と同様に、例えば東京マラソンコース、ホノルルマラソンコース、皇居前ジョギングコース、などが記憶されている。
【００３７】
２５０は、ＧＰＳ部であり、公知のＧＰＳ（Global Positioning System）を利用して現在位置を計測する。すなわちＧＰＳ部２５０は、複数の測位衛星（ＧＰＳ衛星）から送られてくる電波をアンテナにより受信することによって、現在位置を示す緯度、経度からなる位置データを取得し、取得した位置データを、使用者の行動場所を示す場所情報としてＣＰＵ２０２に供給する。２５２は、センサーであり、３軸地磁気センサー、１軸加速度センサーおよび１軸ジャイロ等で構成されている。したがって、ＧＰＳ部２５０に加えて３軸地磁気センサー、１軸加速度センサーおよび１軸ジャイロ等を用いてリスト端末１の進行方向を計測することをも可能で、これにより一層精度を上げることができる。
更に、センサー２５２は、歩数、走行距離、脈拍、・・・など本実施の形態で必要とする計測データを検出することのできる複数のセンサーを含む。
【００３８】
２０２は、ＣＰＵであり、リスト端末２−１全体を制御する。２０４はプログラムメモリであり、制御プログラム２０４１及びアプリケーションプログラム２０４２等が予め記憶されている。制御プログラム２０４１はリスト端末全体を制御する基本的な制御プログラムであり、アプリケーションプログラム２０４２は、スマホ端末１−１や協働やサーバー１１と協働するためのプログラムである。
【００３９】
２５８は携帯型端末との間で、ブルートゥース（登録商標）のリンクを行うＩ／Ｆであり、２６０はＷｉ−Ｆｉなどでサーバーとのリンクを行うＩ／Ｆである。２０８は、トレーニングメニューメモリであり、サーバー１１のトレーニングメニューメモリ１０８と同様に、複数のトレーニングメニューが記憶されている。また、同様にトレーニングメニューは、どういうコースを、あるいは何キロを、どのくらいの時間で走るのか、メニューが用意してある。ユーザは、自分に合ったトレーニングメニューを選択してもよいし、自分でメニューを作成することもできる。
【００４０】
２１０はトレーニングデータメモリであり、前述のコメントデータが記憶される。２１６はコメントデータメモリであり、サーバー１１から送信されてきたコメントデータ等を記憶し、このコメントデータメモリ２１６に記憶されたコメントデータに基づき、コメントが表示部４０に表示される。
【００４１】
図１２は、トレーニング中に当該会員が腕に装着しているリスト端末２−１、サーバー１１、及び前記会員の友人の端末である会員端末、例えばスマホ端末１−１の処理手順を示すフローチャートである。
【００４２】
サーバー１１は、トレーニングメニューメモリ１０８に複数種のトレーニングメニューを記憶して、会員のために用意する（ステップＳＢ２）。各トレーニングメニューは、どういうコースであるか、何キロであるか、どのくらいの時間で走るのか等を示すデータである。サーバー１１は、リスト端末２−１からの要求に応じて、トレーニングメニューを要求のあったリスト端末２−１に送信する。
【００４３】
リスト端末２−１は、サーバー１１から送信されたトレーニングメニューを受信し、受信したトレーニングメニューを会員の操作に応じて加工する等して、トレーニングメニューを設定する（ステップＳＡ２）。無論、受信したトレーニングメニューを加工するのではなく、当該会員が作成した独自のトレーニングメニューを設定してもよい。このようにして、トレーニングメニューの設定が完了したならば、これをサーバー１１に送信する（ステップＳＡ４）。また、このトレーニングメニューに含まれているコースの地図データであるコースデータをサーバー１１に送信する（ステップＳ６）。
【００４４】
しかる後に、会員はトレーニングの準備を開始する。すると、リスト端末２−１は、前記トレーニングデータをサーバー１１に送信する（ステップＳＡ８）。引き続き、リスト端末２−１は、サーバー１１から送信されるコメントデータを受信し（ステップＳＡ１０）、この受信したコメントデータに基づくコメントを表示部４０に表示させる（ステップＳＡ１２）。そして、トレーニングの終了指示操作があったか否かを判断し（ステップＳＡ１４）、トレーニングの終了指示操作があるまで、ステップＳＡ８〜ＳＡ１４のループを繰り返す。
【００４５】
したがって、トレーニング中においてリスト端末２−１は、周期的にトレーニングデータをサーバー１１に送信し（ステップＳＡ８）、かつ、周期的にサーバー１１からのコメントデータを受信する（ステップＳＡ１０）。
【００４６】
一方、サーバー１１は、ステップＳＡ８でリスト端末２−１から周期的に送信されるトレーニングデータを受信すると、この受信したトレーニングデータを表示用に加工する（ステップＳＢ８）。そして、この表示用に加工したトレーニングデータを友人に公開する（ステップＳＢ６）。すなわち、前述のように、サーバー１１の会員管理部１０６は、友人関係も管理しているので、会員管理部１０６が有している友人関係を示す情報に基づき、リスト端末２−１の会員に対する友人を特定し、特定した友人のスマホ端末１−１あるいはＰＣ３−１に表示用に加工したトレーニングデータを送信することにより公開する。
【００４７】
すると、友人のスマホ端末１−１等は、これを受信し閲覧可能に表示する（ステップＳＣ２）。したがって、友人は、トレーニングを行っている会員の歩行時間、歩数、走行距離、脈拍、ＧＰＳ部２５０で取得した今走っている現在位置、設定コースとのずれ、目的地までの想定距離、想定時間、・・・などのトレーニングしている状況を直接的あるいは間接的に示す情報を視認することができる。また、これらの情報を視認した友人は、例えば会員のトレーニング状態が良好であり「褒める／良い評価」を行うべきか、オーバーワーク気味であり「注意／心配」を行うべきか、遅れ気味で「声援／声かけ」を行うべきかの評価を考慮することができる。
【００４８】
このとき、表示された情報に対する評価は、友人の主観的判断に基づくものであるから、同一の情報であっても、それに対する評価を「褒める／良い評価」、「注意／心配」、「声援／声かけ」のいずれとするかは、友人毎に異なる。したがって、各友人のスマホ端末１−１等は自己の主観に基づく評価に応じたコメントを入力し（ステップＳＣ４）、このコメントをサーバー１１に送信する（ステップＳＣ５）。
【００４９】
つまり、同一の情報を視認しても、ある友人は「褒める／良い評価」であるとして「タイムが安定しているね！」とコメントし、他の友人は「注意／心配」であるとして「あまり飛ばしすぎると長続きしないよ！」とコメントする場合がある。各スマホ端末１−１等は、これら異なるコメントを各々サーバー１１に送信する。
【００５０】
他方、サーバー１１は、コメントデータ作成処理を実行する（ステップＳＢ８）。図１３は、このコメントデータ作成処理（ステップＳＢ８）の処理手順を示すフローチャートである。先ず、シーンを判定する（ステップＳＤ２）。具体的には、シーン判定プログラム１０４３を用いて下記シーン判定を行う。
１）トレーニングメニューの走行前（準備運動時）、序盤、前半、中盤、後半、追い込み、終了のシーン判定
２）目標タイムと走行タイムを比較してペースを判定
３）履歴データメモリ１２０により前回の同じメニューでトレーニングしたときとの比較
４）上記の分析から「褒める／良い評価」のシーン（Ｔ１Ａ）、「注意／心配」のシーン（Ｔ１Ｂ）、「応援／声かけ」のシーン（Ｔ１Ｃ）を判定。
【００５１】
また、前述のようにして、各スマホ端末１−１等から送信されてきたコメントを逐次、バッファ１１４１、１１４２、１１４３、１１４４、・・・に記憶していく（ステップＳＤ４）。引き続き、コメントテーブル１１８（表（Ｔ））を更新するとともに、更新したコメントテーブル１１８（表（Ｔ））を参照する（ステップＳＤ６）。このコメントテーブル１１８の表（Ｔ）の更新に際しては、受信したコメントからキーワード（Ｔ３）を抽出し、この抽出したキーワード（Ｔ３）と（Ｔ１Ａ）〜（Ｔ１Ｃ）に対応して予め記憶してある分類キーワードとを比較して、両者が一致した場合には、当該コメントを（Ｔ１Ａ）〜（Ｔ１Ｃ）に分類して記憶することにより、表（Ｔ）を更新する。しかる後に、この更新した表（Ｔ）を参照してコメントを選択する（ステップＳＤ８）。
【００５２】
このステップＳＤ８におけるコメントの選択には、
（ａ）見出しコメントの選択
（ｂ）友人からのコメントの選択
が含まれる。先ず、（ａ）見出しコメントの選択について説明する。
【００５３】
目標タイムと走行タイムがほとんど一致している時は、図１０の表（Ｔ）において、「」（１）安定してタイムを刻んでいるシーン」と判定し、これに対応する見出しコメント「その調子で！」をコメントデータの見出しコメントとして選択する。
目標タイムと走行タイムがおおよそ一致している時も、「（１）安定してタイムを刻んでいるシーン」と判定し、これに対応する見出しコメント「その調子で！」をコメントデータの見出しコメントとして選択する。
目標タイム通りに終了した時は、「（３）目標設定どおり走り終わったシーン」と判定し、これに対応する見出しコメント「目標達成お疲れさま」をコメントデータの見出しコメントとして選択する。
【００５４】
目標タイムより走行タイムが大幅に速い時は、「（１）設定ラップタイムよりも大幅に早く走行しているシーン」と判定し、これに対応する見出しコメント「ペースを落として！」をコメントデータの見出しコメントとして選択する。
【００５５】
履歴データを参照して前回の走行から１か月以上たっている時の走行前には、「（２）久しぶりに走るシーン（走り始め）と判定し、これに対応する見出しコメント「無理しないように」をコメントデータの見出しコメントとして選択する。
【００５６】
走行タイムが目標タイムから遅れ気味の時は、「（３）目標タイムから遅れ気味のシーン」と判定し、これに対応する見出しコメント「もう少し頑張ろう！」をコメントデータの見出しコメントとして選択する。トレーニングメニューの走行前（準備運動時）の時は、（４）準備運動シーンと判定し、これに対応する見出しコメント「リラックスしようね」をコメントデータの見出しコメントとして選択する。
【００５７】
中盤で、走行タイムが目標タイムをかなり上回っている時は、「（５）中盤にハイペースなシーン」と判定し、これに対応する見出しコメント「少し頑張りすぎ！」をコメントデータの見出しコメントとして選択する。
【００５８】
上り坂勾配のエリアを走っていると判定した時は、「（１）上り坂勾配のシーン」と判定し、これに対応する見出しコメント「上り坂だよ！」をコメントデータの見出しコメントとして選択する。
【００５９】
設定コースの後半に差し掛かった時は、「（２）トレーニング後半のシーン」と判定し、これに対応する見出しコメント「あと半分だよ！」をコメントデータの見出しコメントとして選択する。
【００６０】
目標タイムに対し、走行タイムが少しだけ遅れた時は、「（３）タイムが少しだけ遅れたシーンと判定し、これに対応する見出しコメント「少しペースを上げよう！」をコメントデータの見出しコメントとして選択する。
【００６１】
次に、（ｂ）友人からのコメントの選択について説明する。
友人のコメント（Ｔ２）に関しては、そのまま表示するが、多数のコメントがあるので選択して表示する。選択するために、シーンとキーワードを判定する。
例えば、「（５）あまり飛ばしすぎると長続きしないよ！」というコメントの中からキーワードとして「飛ばし」「すぎ」「長続き」を抽出する。ユーザのトレーニングシーンが（５）中盤にハイペースなシーンだとすると、多数のコメントの中から、「飛ばし」「長続き」というキーワードを含むコメントを選択する。その結果、「（５）あまり飛ばしすぎると長続きしないよ！」というコメントが選択され、コメントデータとしてＣ１に表示される。同じキーワード「過ぎ」が（１）設定ラップタイムよりも大幅に早く走行しているシーンにもあるが、「（１）飛ばし過ぎで続くか心配！」というコメントはシーンが異なるので選択されない。
【００６２】
そして、次のコメントデータ作成処理（ステップＳＤ１０）では、例えばコメントを「余り飛ばしすぎると長続きしないよ！」とし、見出しコメントを「少し頑張りすぎ！」とし、また、当該コメントを送信した友人のプロフィール画像を会員管理部１０６から読み出し、これらコメント、見出しコメントをプロフィール画像を合成したコメントデータを作成する。次に、この作成したコメントデータをリスト端末２−１に送信する（ステップＳＤ１２）。
【００６３】
すると、前述のようにリスト端末２−１は、サーバー１１から送信されるコメントデータを受信し（ステップＳＡ１０）、この受信したコメントデータに基づくコメントを表示部４０に表示させる（ステップＳＡ１２）。その結果、図４に示したように、リスト端末２−１の表示部４０には、コメントデータＣＤにより、コメントＣ１、プロフィール画像Ｐ１、及び見出しコメントＣ２からなる画像が表示され、コメントＣ１がプッシュ式で提供されることとなる。
【００６４】
このコメントデータＣＤにおいて、コメントＣ１は個人が作成した文言であることから多様性があり、また、リスト端末２−１を装着してトレーニングを行っている会員の友人から送信された文言であることから、親密性もある。したがって、アドバイスに多様性があるばかりでなく親密性もあることから、このアドバイスを受けたユーザ（会員）に対する影響力が大きき、よって、トレーニングする会員に効果的な助言や励ましを行うことができる。例えば、図３に示すように、リスト端末２−１を装着してトレーニングを行っている会員Ｕと友人とが家族関係にある場合には、リスト端末２−１にＡ、Ｂ、Ｃとして示したように、「パパがんばれ！」等のコメントデータが表示されることにより、効果的な励ましを行うことができる。
【００６５】
また、プロフィール画像Ｐ１が表示されることにより、当該プロフィール画像Ｐ１に表示されている友人と一緒にトレーニングしているかの感を呈し、励まし効果を高めることができる。
【００６６】
また、見出しコメントＣ２は、シーンに応じてサーバー１１が選択した文言であることから、会員のトレーニング状況に応じた客観的で的確なアドバイスを行うことができる。
【００６７】
また、通常のＳＮＳはＰＣやスマートフォンを介在して即時応答は可能でも、そのコメントは様々なものでトレーニング中のアドバイスに限るものでは無い。本実施の形態の効果は、トレーニング中にも即時画面を確認出来るリスト端末とクラウドサービス（ＳＮＳサイト１０）を連動させる事により、トレーニング中にＳＮＳ上に書き込まれた友人のアドバイスをトレーニングの状況（飛ばしすぎ、久しぶり等）に合わせて流す仕組みで継続的に楽しくトレーニングしたり、励まされてしっかりとトレーニングする事に効果を発揮する。
また、コメントは音声で入力したり、音声で出力したりしても構わない。
【００６８】
また、選択されたコメントをそのままリスト端末に表示するようにしたが、文字数に制限があるときは、サーバーで適宜編集しても良い。または、電光掲示板のように、同じコメントを順次流れ表示させて何度も繰り返し表示させてもよい。キーワード部分の色を変えたり大文字で表示する工夫もできる。
選択はシーンに応じて行ったが、友人との親密度によって選択してもよい。例えば友人のコメントを友人のコメントより優先するとか、ログイン履歴の近い人を優先するなど工夫できる。
【００６９】
以上、この発明の実施形態について説明したが、この発明はこれらに限定されるものではなく、特許請求の範囲に記載された発明とその均等の範囲を含むものである。
以下に、本願出願時の特許請求の範囲を付記する。
【００７０】
＜請求項１＞
ネットワークを介して接続される会員端末とサーバーとを有するネットワーク・サービスシステムであって、
前記会員端末は、
当該会員のトレーニングの状況を示すトレーニングデータをネットワーク上に公開させる公開手段と、
前記当該会員のトレーニングデータが示すトレーニングの状況に対する他の会員のコメントを示すコメントデータを前記サーバーにアップロードするアップロード手段とを備え、
前記サーバーは、
前記アップロードされた他の会員のコメントデータを、前記当該会員の端末に送信するコメントデータ送信手段を備え、
前記会員端末は、前記コメントデータ送信手段により前記サーバーから送信されたコメントデータを受信しプッシュ式でコメントを提供するコメント提供手段を備えることを特徴とするネットワーク・サービスシステム。
【００７１】
＜請求項２＞
複数の会員端末の各アップロード手段から前記他の会員のコメントデータが各々アップロードされ、
前記サーバーは、前記アップロードされた複数の他の会員のコメントデータのいずれかを選択する選択手段を備え、
前記コメントデータ送信手段は、前記選択手段により選択されたコメントデータを前記当該会員の端末に送信することを特徴とする請求項１記載のネットワーク・サービスシステム。
【００７２】
＜請求項３＞
前記サーバーは、トレーニングを行っているシーンを判定するシーン判定手段を備えることを特徴とする請求項２記載のネットワーク・サービスシステム。
【００７３】
＜請求項４＞
前記選択手段は、前記シーン判定手段により判定されたシーンに応じて、前記アップロードされた複数の他の会員のコメントデータのいずれかを選択することを特徴とする請求項３記載のネットワーク・サービスシステム。
【００７４】
＜請求項５＞
前記サーバーは、
前記シーン毎に異なるコメントを示す既成のシーン別コメントデータを予め記憶した記憶手段を備え、
前記選択手段は、前記シーン判定手段により判定されたシーンに応じて、前記記憶手段からシーン別コメントデータを更に選択し、
前記コメントデータ送信手段は、前記選択手段により選択された前記会員が任意に入力したコメントデータと予め記憶されていた既成のシーン別コメントデータとを前記当該会員の端末に送信することを特徴とする請求項３記載のネットワーク・サービスシステム。
【００７５】
＜請求項６＞
前記シーン判定手段は、前記トレーニングデータに基づき、トレーニングを行っているシーンを判定することを特徴とする請求項３記載のネットワーク・サービスシステム。
【００７６】
＜請求項７＞
前記会員端末は、トレーニングの内容を示すトレーニングメニューを設定する設定手段を備え、
前記シーン判定手段は、前記トレーニングメニューと前記トレーニングデータとに基づき、トレーニングを行っているシーン判定することを特徴とする請求項４記載のネットワーク・サービスシステム。
【００７７】
＜請求項８＞
前記トレーニングメニューには、前記会員がトレーニングに用いるコースを示すコースデータが含まれることを特徴とする請求項７記載のネットワーク・サービスシステム。
【００７８】
＜請求項９＞
前記シーン判定手段は、前記他の会員のコメントデータが示すコメントからキーワードを抽出し、抽出したキーワードに基づきトレーニングを行っているシーンを判定することを特徴とする請求項３記載のネットワーク・サービスシステム。
【００７９】
＜請求項１０＞
前記他の会員のコメントデータが示すコメントからキーワードを抽出し、抽出したキーワードに基づき前記コメントデータを、トレーニングを行っているシーンに応じて分類する手段を備えることを特徴とする請求項３記載のネットワーク・サービスシステム。
【００８０】
＜請求項１１＞
前記コメントデータ送信手段は、前記選択手段により選択されたコメントデータとともに、当該コメントデータをアップロードした他の会員のプロフィール画像を送信し、
前記コメント提供手段は、前記コメントデータとともに前記プロフィール画像を受信して表示させることを特徴とする請求項２記載のネットワーク・サービスシステム。
【００８１】
＜請求項１２＞
前記会員端末は、当該会員が腕に装着可能なリスト端末であることを特徴とする請求項１乃至１１記載のネットワーク・サービスシステム。
【００８２】
＜請求項１３＞
前記会員端末は、当該会員が携帯してトレーニング可能な携帯端末であることを特徴とする請求項１乃至１１記載のネットワーク・サービスシステム。
【００８３】
＜請求項１４＞
前記会員端末は、当該会員が腕に装着可能なリスト端末と、携帯してトレーニング可能な携帯端末とを含むことを特徴とする請求項１乃至１１記載のネットワーク・サービスシステム。
【００８４】
＜請求項１５＞
ネットワークを介して接続される会員端末とサーバーとを有し、前記会員端末からアップロードされた他の会員のコメントを示すコメントデータを、前記サーバーから当該会員の端末に送信するネットワーク・サービスシステムに用いられる端末であって、
当該会員のトレーニングの状況を示すトレーニングデータをネットワーク上に公開させる公開手段と、
前記サーバーから送信されたコメントデータを受信してプッシュ式でコメントを提供するコメント提供手段と
を備えることを特徴とする端末。
【００８５】
＜請求項１６＞
ネットワークを介して接続される会員端末とサーバーとを有し、前記端末は当該会員のトレーニングの状況を示すトレーニングデータをネットワーク上に公開する公開手段と、前記当該会員のトレーニングデータが示すトレーニングの状況に対する他の会員のコメントを示すコメントデータを前記サーバーにアップロードするアップロード手段と、前記サーバーから送信されたコメントデータを受信してプッシュ式でコメントを提供するコメント提供手段とを備えるネットワーク・サービスシステムに用いられるサーバーであって、
前記アップロードされた他の会員のコメントデータを、前記当該会員の端末に選択的に送信するコメントデータ送信手段を備えることを特徴とするサーバー。
【００８６】
＜請求項１７＞
ネットワークを介して接続される会員端末とサーバーとを有し、前記会員端末からアップロードされた他の会員のコメントを示すコメントデータを、前記サーバーから当該会員の端末に送信するネットワーク・サービスシステムに用いられる端末が有するコンピュータを、
当該会員のトレーニングの状況を示すトレーニングデータをネットワーク上に公開させる公開手段と、
前記サーバーから送信されたコメントデータを受信してプッシュ式でコメントを提供するコメント提供手段と
して機能させることを特徴とする前記コンピュータが読み取り可能なプログラム。
【００８７】
＜請求項１８＞
ネットワークを介して接続される会員端末とサーバーとを有し、前記端末は当該会員のトレーニングの状況を示すトレーニングデータをネットワーク上に公開する公開手段と、前記当該会員のトレーニングデータが示すトレーニングの状況に対する他の会員のコメントを示すコメントデータを前記サーバーにアップロードするアップロード手段と、
前記サーバーから送信されたコメントデータを受信してプッシュ式でコメントを提供するコメント提供手段とを備えるネットワーク・サービスシステムに用いられるコンピュータを、
前記アップロードされた他の会員のコメントデータを、前記当該会員の端末に選択的に送信するコメントデータ送信手段として機能させることを特徴とする前記コンピュータが読み取り可能なプログラム。
【００８８】
＜請求項１９＞
ネットワークを介して接続される会員端末とサーバーとを有するネットワーク・サービスシステムにおけるコメント提供方法であって、
前記会員端末は、
当該会員のトレーニングの状況を示すトレーニングデータをネットワーク上に公開させ、
前記当該会員のトレーニングデータが示すトレーニングの状況に対する他の会員のコメントを示すコメントデータを前記サーバーにアップロードし、
前記サーバーは、
前記アップロードされた他の会員のコメントデータを、前記当該会員の端末に送信し、前記会員端末は、前記サーバーから送信されたコメントデータを受信してプッシュ式でコメントを提供することを特徴とするコメント提供方法。
【符号の説明】
【００８９】
１−１    スマホ端末
２−１    リスト端末
１０    トレーニングＳＮＳサイト
１１    サーバー
４０    表示部
１０２    ＣＰＵ
１０４    プログラムメモリ
１０６    会員管理部
１０８    トレーニングメニューメモリ
１１０    トレーニングデータメモリ
１１６    コメントデータメモリ
１１８    コメントテーブル
１３０    コースデータメモリ
１３０    コースメモリ
２０２    ＣＰＵ
２１６    コメントデータメモリ
２５０    ＧＰＳ部
２５２    センサー
１０４３    シーン判定プログラム
１１４１    バッファ
２０４１    制御プログラム
２０４２    アプリケーションプログラム
【図１】
2014044623.tif 000003
【図２】
2014044623.tif 000004
【図９】
2014044623.tif 000005
【図１０】
2014044623.tif 000006
【図１１】
2014044623.tif 000007
【図１２】
2014044623.tif 000008
【図１３】
2014044623.tif 000009
【図３】
2014044623.tif 000010
【図４】
2014044623.tif 000011
【図５】
2014044623.tif 000012
【図６】
2014044623.tif 000013
【図７】
2014044623.tif 000014
【図８】
2014044623.tif 000015